(57)【要約】【課題】  既存の製造法による耐火・耐熱パネルにおいて、然るべき耐火性能を確保するためには、重量を軽くするとパネルの厚さが大きくなり、薄い構造の物を作ろうとすると重量が増すという難点がある、これらの難点を既存の製造法に大きく手を加えること無く解決可能な耐火・耐熱パネの製造法を提供する。【解決手段】  芯材を鋼板又は無機質パネルで挟み込む構造の耐火・耐熱パネルにおいて、芯材表面に珪酸ナトリウム等の水溶性耐火材料水溶液を直接的に含浸し乾燥させる、若しくは親水性シートに珪酸ナトリウム等の水溶性耐火材料水溶液を含浸させ芯材表面で乾燥させることにより、断熱耐火皮膜を芯材表面に形成させ、耐火・耐熱パネルの断熱性能や耐火性能を向上させる。【選択図】図４
2008261196.tif 000002
【特許請求の範囲】
【請求項１】
発砲ウレタン・ロックウール及びグラスファイバー等の芯材を鋼板又は無機質パネルで挟み込む構造の耐火・耐熱パネルにおいて、表面に親水性を有する芯材に珪酸ナトリウム等の水溶性耐火材料水溶液を直接含浸し乾燥させる事により芯材表面に、直接的に断熱皮膜を形成させる耐火・耐熱パネルの製造方法。
【請求項２】
発砲ウレタン・ロックウール及びグラスファイバー等の芯材を鋼板又は無機質パネルで挟み込む構造の耐火・耐熱パネルにおいて、表面に親水性を有さない芯材表面に珪酸ナトリウム等の水溶性耐火材料水溶液を含浸し乾燥させたシート類を貼る事により芯材表面に、間接に断熱皮膜を形成させる耐火・耐熱パネルの製造方法。
【発明の詳細な説明】
【技術分野】
【０００１】  この発明は耐火・耐熱パネルの製造法に関するものである。
【背景技術】
【０００２】  従来の耐火・耐熱パネルは様々な種類や構造の物が開発され実用化されている（例えば特許文献１及び特許文献２参照）。これらの耐火・耐熱パネルの基本構造は図１及び図２に示すような構造になっており、図１に示される様に芯材の両面に石膏ボード等の無機質材板を貼り付けさらにその表面を金属製板で覆った５層構造、若しくは図２に示される様に、金属製板の間に難燃性芯材、或いは不燃性芯材を挟み込んだ３層構造になっている。
【特許文献１】特開２００５−８３０９４号公報（図１等）
【特許文献２】特開２００４−８４２１７号公報（図２等）
【０００３】  一般的にこれ等の耐火・耐熱パネルは建築基準法第２条７号に定める耐火構造の認定を受ける為には、ＪＩＳ−Ａ−１３０４に定められる耐火構造１時間試験に合格することでその性能が裏付けられる。
【発明の開示】
【発明が解決しようとする課題】
【０００４】  ＪＩＳ−Ａ−１３０４に定められる耐火構造１時間試験に合格するための耐火・耐熱パネルの性能は、図１の様な３層構造パネルの場合、芯材の断熱性能によるところが多く、芯材に十分な厚みが必要となり、その結果パネルが厚い構造となる難点があり、また図２の様な５層構造パネルの場合は芯材両面に配置された石膏ボード等の無機質材板の耐火性能により芯材を薄くする事は可能であるが、石膏ボード等の無機質材板の重量が加わる為、重量が増すという難点があった。
【課題を解決するための手段】
【０００５】  芯材を鋼板又は無機質板で挟み込む構造の耐火・耐熱パネルにおいて、芯材表面に珪酸ナトリウム等の水溶性耐火材料水溶液を直接的に含浸し乾燥させる、若しくは親水性シートに珪酸ナトリウム等の水溶性耐火材料水溶液を含浸させ芯材表面で乾燥させることにより、断熱耐火皮膜を芯材表面に形成させ、耐火・耐熱パネルの断熱性能や耐火性能を向上させる。
【発明の効果】
【０００６】  本発明による製造法で制作される耐火・耐熱パネルは、前記３層構造耐火・耐熱パネル及び５層構造耐火・耐熱パネル両方の特性を持っており、軽量で比較的板厚の薄い製品が製造可能となる。
【実施例】
【０００７】  以下に、図面を用いて本発明に係る耐火・耐熱パネル製造の実施例に付いて詳細に説明する。【０００８】  図３及び図４は本発明に係る耐火・耐熱パネルの一例を示す説明図で、図３は表面材３と裏面材７の間に水溶性耐火材料水溶液を含浸させた芯材５を介在させた３層構造のサンドイッチ構造体であり、図４は芯材５と表面材３および裏面材７の間に水溶性耐火材料水溶液を含浸させたシート４及び７を挿入した５層構造のサンドイッチ構造体である。【０００９】  表面材３及び、裏面材７は、鉄、ステンレス、アルミニウム、亜鉛合金鍍金鋼板、アルミ・亜鉛合金鍍金鋼板、クラッド鋼板、ラミネート鋼板（塩ビ鋼板）、等の金属製薄板で、表面材３、裏面材７の其々をロール成形、プレス成形等により用途に応じた形状に成形したものである。【００１０】  また、芯材５は、発砲ウレタン、ロックウールフェルト、グラスウールフェルト、炭素繊維フェルト、等の不燃性或は難燃性物質で、主に断熱材、防火剤、補強材、緩振材、吸音材、嵩上材、等として機能するものである。【００１１】  シート４及び６は、発砲ウレタン、ロックウールフェルト、グラスウールフェルト、炭素繊維フェルト、等の不燃性或は難燃性物質又は、布類、不織布、紙類、等の可燃性物質でも構わず、含浸性を有する素材で水溶性耐火材料水溶液を吸収・吸着する親水性を持った材料である。【００１２】  これらの芯材或はシートに含浸させる水溶性耐火材料水溶液は、珪酸ナトリウム、珪酸カルシウム、珪酸アルミニウム等の金属塩を含む耐火性物質の水溶液の単体又は、これらの耐火性物質の混合物若しくは、接着剤等の有機化合物を含む液体との混合物であり、前記芯材４が親水性を有する場合にはこの芯材に直接若しくは、上記４及び６のシート類に速やかに浸透し、乾燥後に結晶化し断熱耐火皮膜を形成する物質である。【００１３】  これらの水溶性耐火材料水溶液が乾燥して結晶化することにより、芯材５の表面に新たな耐火層を形成し、耐火・耐熱パネルの断熱性能及び耐火性能を向上させる機能を有するものである。【００１４】  すなわち、本発明による製造法で制作される耐火・耐熱パネルは、従来の３層構造の耐火・耐熱パネルの芯材表面に直接的或はシート類を介して間接的に水溶性耐火材料による耐火層を形成させることを特徴としており、心材５の表面が含浸性を有する場合は芯材表面に直接的に、また芯材５の表面が含浸性を有さない場合には前記［００１１］に示すシート類を介在させ、水溶性耐火材料による耐火層を形成させる。【００１５】  なお、本発明は上記実施例に限定されるものでなく、水溶性耐火材料水溶液や、シート類、芯材類の各種組み合わせや仕様の変更等もこの発明の技術範囲に含まれる。例えば、表面材や裏面材の組み合わせや板厚、芯材の種類や板厚、芯材と水溶性耐火材料水溶液の組み合わせ等、これらの材質は同等の用途を達する物であれば何でもかまわない。
【図面の簡単な説明】
【図１】  一般的な３層構造の耐火・耐熱パネルの一部切り欠き斜視図である。
【図２】  一般的な５層構造の耐火・耐熱パネルの一部切り欠き斜視図である。
【図３】  本発明に係る耐火・耐熱パネルの内、芯材表面に直接的に水溶性耐火材料水溶液を含浸させるパネルの分解図である。
【図４】  本発明に係る耐火・耐熱パネルの内、シート類を用い間接的に水溶性耐火材料水溶液を含浸させるパネルの分解図である。
【符号の説明】
１    表面材（金属薄板）
２    石膏ボード等の無機質板
３    芯材
４    裏面材（金属薄板）
５    水溶性耐火材料水溶液を含浸させた芯材
６    水溶性耐火材料水溶液を含浸させたシート類
【図１】
2008261196.tif 000003
【図２】
2008261196.tif 000004
【図３】
2008261196.tif 000005
【図４】
2008261196.tif 000006